(57)【要約】【課題】映像の表示を待つことなく、選択したチャンネルの放送局を認識して他のチャンネルに切り換えることが可能な表示装置を提供する。【解決手段】この表示装置（テレビジョン１）は、表示部４と、放送局から供給される放送信号を受信するチューナーユニット２と、チャンネルの指定をユーザから受け付ける番組指定受付手段と、ユーザに指定されたチャンネルの番組の映像を表示部４に表示するように表示部４を制御する制御部６と、表示部４に表示される番組を供給する放送局に関するロゴマークを認識する認識手段と、認識手段により認識されたロゴマークのデータを記憶するＥＥＰＲＯＭ８とを備え、制御部６は、チャンネルの指定を受け付けてから番組の映像の表示を開始するまでの間、ＥＥＰＲＯＭ８に記憶されたロゴマークを表示部４に表示するように制御するように構成されている。【選択図】図４
2008294885.tif 000002
【特許請求の範囲】
【請求項１】
表示部と、
放送局から供給される放送信号を受信する受信部と、
チャンネルの指定を使用者から受け付けるチャンネル指定受付手段と、
前記受信部が受信した放送信号に基づいて、使用者に指定されたチャンネルの映像を前記表示部に表示するように前記表示部を制御する制御部と、
前記表示部に表示されるチャンネルの映像の放送局に関するロゴマークを認識する認識手段と、
前記認識手段により認識されたロゴマークのデータを記憶する記憶部とを備え、
前記制御部は、前記チャンネルの指定を受け付けてから前記チャンネルの映像の表示を開始するまでの間、前記記憶部に記憶されたロゴマークを前記表示部に表示するように制御するように構成されている、表示装置。
【請求項２】
前記認識手段は、前記表示部に表示されるチャンネルの映像のうち、所定の期間変化しない部分を前記ロゴマークとして認識するように構成されている、請求項１に記載の表示装置。
【請求項３】
前記認識手段は、前記表示部に表示されるチャンネルの映像のうち、所定の時間変化しない部分を前記ロゴマークの候補として抽出するとともに、前記ロゴマークの候補と前記表示部に表示されるチャンネルの映像とを一定時間毎に比較することにより、前記ロゴマークの候補と前記チャンネルの映像とが所定の回数以上一致した場合に、前記ロゴマークの候補を前記ロゴマークとして認識するように構成されている、請求項２に記載の表示装置。
【請求項４】
前記認識手段は、前記表示部に表示されるチャンネルの映像のうち、所定の領域の映像を検索することにより、前記ロゴマークの候補を抽出するように構成されている、請求項３に記載の表示装置。
【請求項５】
前記制御部は、前記チャンネルの映像の表示を開始するまで前記記憶部に記憶されたロゴマークを前記表示部に表示するとともに、前記チャンネルの映像の表示が開始された後、前記記憶部に記憶されたロゴマークの表示を消去するように前記表示部を制御するように構成されている、請求項１〜４のいずれか１項に記載の表示装置。
【発明の詳細な説明】
【技術分野】
【０００１】
この発明は、表示装置に関し、特に、放送局から供給される放送信号を受信する受信部を備えた表示装置に関する。
【背景技術】
【０００２】
従来、放送局から供給される放送信号を受信する受信部を備えた表示装置が知られている。これらの表示装置では、受信した放送信号に基づいて、ユーザにより選択されたチャンネルに対応する映像を表示部に表示するように構成されている。また、従来、ユーザが選択したチャンネルの映像に、その映像を供給する放送局のロゴマークを表示させることにより、その映像を供給する放送局をユーザに認識させる放送形態が知られている。また、従来、表示部に表示中の映像を装置が認識するとともに、認識した映像に基づいて、所定の処理を行うように構成された表示装置（たとえば、特許文献１および２参照）、および、放送局に対応するロゴマークを表示部に表示するように構成された表示装置（たとえば、特許文献３〜５参照）が知られている。
【０００３】
上記特許文献１では、映像に含まれるロゴマーク（たとえば、自動車のロゴマーク）などを認識するとともに、そのロゴマークに関連するコンテンツ（たとえば、その自動車メーカのローカルなカーディーラーの電話番号など）が表示される。
【０００４】
また、上記特許文献２では、予め登録した画像などが映像に含まれる場合に、その画像を認識するとともに、その画像に基づいて、予め登録した処理（たとえば、所定の音声の出力）などが行われる。
【０００５】
また、上記特許文献３および４では、放送局に対応するロゴマークを電子番組表上に表示することにより、放送局の認識を容易にしている。
【０００６】
また、上記特許文献５では、映像を表示部に表示している場合に、ユーザが所定の操作を行うことにより、その映像を供給する放送局に対応するロゴマークが表示部に表示される。
【０００７】
【特許文献１】特表２００３−５２８４９８号公報
【特許文献２】特開２００５−１５９９１０号公報
【特許文献３】特開２００５−１４２７６０号公報
【特許文献４】特開平１１−５５５８７号公報
【特許文献５】特開平１０−４２２１４号公報
【発明の開示】
【発明が解決しようとする課題】
【０００８】
しかしながら、上記のような表示装置においては、チャンネルをユーザが選択した後、映像が表示されるまでに所定の時間（デジタルテレビジョンでは、約２秒〜約３秒）を要する。このため、チャンネルを選択した後、映像が表示されるまで所定の時間待たなければ、選択したチャンネルの映像がどの放送局により供給されるものかをユーザが認識することが困難であるという不都合がある。このため、ユーザは、選択したチャンネルの放送局を確認して他の放送局のチャンネルに切り換える際に、映像が表示されるまで待つ必要があるという問題点がある。
【０００９】
また、上記特許文献１および２では、放送された映像から何らかの画像を認識するとともに、その画像に基づいて所定の処理を行うものであるが、選択されたチャンネルの映像がどの放送局により供給されるものかをユーザに認識させるための構成は開示されていない。このため、上記と同様に、ユーザは、選択したチャンネルの放送局を確認して他の放送局のチャンネルに切り換える際に、映像が表示されるまで待つ必要があるという問題点がある。
【００１０】
また、上記特許文献３〜５では、放送局に対応するロゴマークが電子番組表上、または、放送映像に合わせて表示されるが、これらの処理はチャンネルが選択されて映像が表示された後に行われる処理であるので、チャンネルを選択した後、映像が表示されるまで所定の時間待たなければ、選択したチャンネルの映像がどの放送局により供給されるものかをユーザが認識することが困難であるという不都合がある。したがって、上記と同様に、ユーザは、選択したチャンネルの映像を供給する放送局を確認して他の放送局のチャンネルに切り換える際に、映像が表示されるまで待つ必要があるという問題点がある。
【００１１】
この発明は、上記のような課題を解決するためになされたものであり、この発明の１つの目的は、使用者が、映像の表示を待つことなく、選択したチャンネルを供給する放送局を認識して他のチャンネルに切り換えることが可能な表示装置を提供することである。
【課題を解決するための手段および発明の効果】
【００１２】
この発明の第１の局面による表示装置は、表示部と、放送局から供給される放送信号を受信する受信部と、チャンネルの指定を使用者から受け付けるチャンネル指定受付手段と、受信部が受信した放送信号に基づいて、使用者に指定されたチャンネルの映像を表示部に表示するように表示部を制御する制御部と、表示部に表示されるチャンネルの映像の放送局に関するロゴマークを認識する認識手段と、認識手段により認識されたロゴマークのデータを記憶する記憶部とを備え、制御部は、チャンネルの指定を受け付けてからチャンネルの映像の表示を開始するまでの間、記憶部に記憶されたロゴマークを表示部に表示するように制御するように構成されている。
【００１３】
この第１の局面による表示装置では、上記のように、チャンネルの指定を受け付けてからチャンネルの映像の表示を開始するまでの間、記憶部に記憶されたロゴマークを表示部に表示することによって、選択したチャンネルの映像を供給する放送局を、映像が表示される前に表示されるロゴマークにより使用者が認識することができる。これにより、使用者は、映像の表示を待つことなく、選択したチャンネルの放送局を認識して他のチャンネルに切り換えることができる。
【００１４】
上記第１の局面による表示装置において、好ましくは、認識手段は、表示部に表示されるチャンネルの映像のうち、所定の期間変化しない部分をロゴマークとして認識するように構成されている。このように構成すれば、表示部に表示されるチャンネルの映像に放送局に対応するロゴマークが表示される放送形態において、放送局に対応するロゴマークを容易に自動的に抽出することができる。すなわち、上記のような放送形態では、放送局からの映像に、放送局に対応するロゴマークが所定の位置に固定的に配置されているので、所定の期間変化しない部分を抽出することにより、抽出した部分を放送局に対応するロゴマークとすることができる。
【００１５】
この場合、好ましくは、認識手段は、表示部に表示されるチャンネルの映像のうち、所定の時間変化しない部分をロゴマークの候補として抽出するとともに、ロゴマークの候補とチャンネルの映像とを一定時間毎に比較することにより、ロゴマークの候補とチャンネルの映像とが所定の回数以上一致した場合に、ロゴマークの候補をロゴマークとして認識するように構成されている。このように構成すれば、表示部に表示される映像のうち、時間とともに変化する番組の映像をロゴマークとして誤って認識することなく、確実にロゴマークを抽出することができる。
【００１６】
上記番組の映像のうち、所定の時間変化しない部分をロゴマークの候補として抽出する構成において、好ましくは、認識手段は、表示部に表示されるチャンネルの映像のうち、所定の領域の映像を検索することにより、ロゴマークの候補を抽出するように構成されている。このように構成すれば、ロゴマークが配置される領域は、チャンネルの映像において決まった位置に配置されているので、その部分（所定の領域）のみを検索することにより、ロゴマークの候補を抽出することができる。これにより、チャンネルの映像全体を検索する場合と比較して、ロゴマークを容易に抽出することができる。
【００１７】
上記第１の局面による表示装置において、好ましくは、制御部は、チャンネルの映像の表示を開始するまで記憶部に記憶されたロゴマークを表示部に表示するとともに、チャンネルの映像の表示が開始された後、記憶部に記憶されたロゴマークの表示を消去するように表示部を制御するように構成されている。このように構成すれば、放送局からの映像には、放送局に対応するロゴマークが所定の位置に固定的に配置されているので、記憶部に記憶されたロゴマークを消去しても、表示されているチャンネルの映像を供給している放送局を認識することができる。
【発明を実施するための最良の形態】
【００１８】
以下、本発明を具体化した実施形態を図面に基づいて説明する。
【００１９】
図１は、本発明の一実施形態によるテレビジョンの構成を示すブロック図である。まず、図１を参照して、本実施形態によるテレビジョン１の構成を説明する。なお、本実施形態では、表示装置の一例であるテレビジョン１に本発明を適用した例を説明する。
【００２０】
図１に示すように、テレビジョン１は、放送局から供給される放送信号（デジタル信号およびアナログ信号）を受信するアンテナ（図示せず）を含むチューナーユニット２と、パーソナルコンピュータ１００、ＤＶＤプレーヤ１０１およびケーブルＴＶチューナー１０２などの外部機器と接続される複数の外部入力端子３ａを含む外部入力基板３と、ＬＣＤ（Ｌｉｑｕｉｄ  Ｃｒｙｓｔａｌ  Ｄｉｓｐｌａｙ）からなる表示部４と、チューナーユニット２および外部入力基板３から入力される複数の映像信号から特定の映像信号を選択して表示部４に出力するＡＶスイッチ５と、テレビジョン１の各部を制御する制御部（ＣＰＵ）６とを備えている。また、テレビジョン１は、テレビジョン１のボリューム、チャンネルなどの変更、および、設定の変更などを行うための複数のボタン７ａを有する入力部７を備えている。また、入力部７は、リモコン２０からの信号を受信する受信部７ｂを含んでいる。このリモコン２０によっても、上記ボリュームの変更などの操作を行うことが可能である。この入力部７またはリモコン２０による信号は、制御部６に入力される。制御部６は、その信号に基づいて、所定の処理を行うようにテレビジョン１の各部を制御する。
【００２１】
チューナーユニット２は、アンテナ（図示せず）により受信した放送信号のうち、ユーザが選択したチャンネルに対応する放送信号の検波および復調を行うとともに、その結果得たデータを制御部６を介してＡＶスイッチ５に出力するように構成されている。
【００２２】
表示部４には、ＡＶスイッチ５から入力された映像信号に対応する映像が表示される。ＡＶスイッチ５から入力する映像信号は、入力部７またはリモコン２０においてユーザが所定の操作を行うことにより選択することが可能である。
【００２３】
また、制御部６は、ＥＥＰＲＯＭ８に格納された各種設定情報、および、ＲＯＭ９に格納されたプログラムに従ってテレビジョン１の制御を行うように構成されている。各種設定情報には、たとえば、表示部４における表示に関する設定などが含まれる。具体的には、視聴制限に関する設定、キャプション（字幕）の設定、および、言語の設定などである。また、ＳＤＲＡＭ１０は、制御部６によるデータの処理などの演算が行われる際に、データが一時記憶されるメモリである。
【００２４】
また、ＥＥＰＲＯＭ８には、各チャンネルの番組を供給する各放送局に対応するロゴマークがデータとして記憶されている。このロゴマークのデータは、ユーザが選択したチャンネルの番組を視聴している間に、番組の映像から自動的に抽出されるとともに、ＥＥＰＲＯＭ８に記憶されるように構成されている。制御部６は、ユーザがチャンネルを切り換えてから番組の映像が表示されるまで、ＥＥＰＲＯＭ８に記憶されたロゴマークを表示部４に表示するように構成されている。
【００２５】
図２は、図１に示したテレビジョンの表示部にユーザが選択したチャンネルの映像が表示されている状態を示す図である。図３は、ユーザによりチャンネルが選択された後、テレビジョンの表示部にユーザが選択したチャンネルの映像が表示される前の待機状態を示す図である。次に、図２および図３を参照して、本実施形態によるテレビジョン１の、ユーザが番組を視聴する際の表示部４における表示の構成について説明する。
【００２６】
図２に示すように、番組の映像が表示されている場合には、番組の映像に加えて、視聴している番組を供給している放送局の名称および番組の名称などを含む放送局表示３０と、現在選択しているチャンネルのチャンネル番号４０と、視聴している番組を供給している放送局に固有のロゴマーク５０とが表示される。放送局表示３０は、チャンネルに対応する信号が放送局から発信される際に、チャンネルの番組に対応する信号に重畳されて供給されるＥＰＧ（Ｅｌｅｃｔｒｏｎｉｃ  Ｐｒｏｇｒａｍ  Ｇｕｉｄｅ）用の信号に基づいて表示される。また、チャンネル番号４０は、予めプリセット処理が行われることにより、チャンネルの放送信号の周波数とテレビジョン１のチャンネルとがセットとしてＥＥＰＲＯＭ８に記憶されているため、ユーザがチャンネルを選択した場合に、ＥＥＰＲＯＭ８に記憶されたデータに基づいて表示される。また、ロゴマーク５０は、不正コピーの抑制のためにロゴマーク５０が番組の映像の一部分として番組の映像に組み込まれているので、番組の映像とともに表示される。このロゴマーク５０は、通常、画面の右下の領域６０または左下の領域７０に表示される。
【００２７】
放送局表示３０およびチャンネル番号４０は、ユーザが所定の操作を行うことにより、表示しないようにすることが可能である。また、ロゴマーク５０は、番組の映像に組み込まれているため、表示しないようにすることができない。
【００２８】
また、本実施形態によるテレビジョン１では、チャンネルが選択されてから約２秒〜約３秒間の待機時間を経た後に番組の映像が表示される。図３に示すように、チャンネルが選択されてから番組の映像が表示されるまでの待機時間中には、選択されたチャンネルに対応する放送信号を受信するとともに、その放送信号を解析して映像データに変換していることを示す表示「Ｓｃａｎｎｉｎｇ…」が表示される。
【００２９】
また、待機時間中には、番組の映像に対応する信号に重畳されて発信されるＥＰＧ用の信号に基づいて表示される放送局表示３０（図２参照）は表示されない。また、チャンネル番号４０は、ＥＥＰＲＯＭ８に記憶されているので、ＥＥＰＲＯＭ８のデータを参照することにより、番組の映像が表示されるタイミングとは無関係に、チャンネルが選択された直後に表示することが可能である。
【００３０】
また、本実施形態では、図３に示すように、放送局に対応するロゴマークのデータがＥＥＰＲＯＭ８に記憶されているので、番組の映像が表示されるタイミングとは無関係に、ＥＥＰＲＯＭ８に記憶されたロゴマーク５１をチャンネルが選択された直後に表示することが可能である。このロゴマーク５１は、ロゴマーク５０と同じ大きさで、かつ、同じ位置に表示されるように構成されている。
【００３１】
図４は、本実施形態によるテレビジョンの表示動作を説明するためのフローチャートである。次に、図２〜図４を参照して、本実施形態によるテレビジョン１の表示動作を説明する。
【００３２】
まず、制御部６においては、図４のステップＳ１において、チャンネルの切り換えの指示があったか否かが判断される。チャンネルの切り換えの指示がない場合には、この判断が繰り返される。また、ユーザが入力部７またはリモコン２０によって、チャンネルの切り換えの指示を行った場合には、ステップＳ２において、図３に示すように、ＥＥＰＲＯＭ８のデータに基づいてチャンネル番号４０が表示される。そして、ステップＳ３において、チューニングが開始される。具体的には、選択されたチャンネルに対応する周波数の放送信号を受信するようにチューナーユニット２を制御するとともに、受信した放送信号の解析を行うことにより、放送信号を映像データおよび音声データに変換する。
【００３３】
その後、ステップＳ４において、選択された番組を供給する放送局のロゴマークがＥＥＰＲＯＭ８に登録されているか否かが判断される。ロゴマークが登録されていない場合には、ステップＳ６に進む。また、ロゴマークが登録されている場合には、ステップＳ５において、図３に示すように、ロゴマーク５１が表示される。上記ステップＳ２におけるチャンネル番号４０の表示と、上記ステップＳ５のロゴマーク５１の表示は、実質的に同時で、かつ、チャンネルの切り換えの指示が行われた直後に行われる。
【００３４】
その後、ステップＳ６において、上記ステップＳ３におけるチューニングにより映像データおよび音声データが取得されたか否かが判断される。映像データおよび音声データを取得していない場合には、この判断が繰り返される。また、映像データおよび音声データを取得した場合には、ステップＳ７において、図２に示すように、放送信号に対応する映像が表示部４に表示されるとともに、音声が出力される。チャンネルが切り換えられてから、映像が表示されるまでの時間は、約２秒〜約３秒である。
【００３５】
この後、ＥＥＰＲＯＭ８から読み出したデータによるロゴマーク５１（図３参照）の表示を消去する。すなわち、放送局からの映像にロゴマーク５０（図２参照）が組み込まれているため、映像が表示された後には、ＥＥＰＲＯＭ８から読み出したデータによるロゴマーク５１を消去しても、ロゴマーク５０が表示された状態が保たれる。このようにして、本実施形態によるテレビジョン１の表示動作が終了する。
【００３６】
図５は、本実施形態によるテレビジョンのロゴマークの登録処理を説明するためのフローチャートである。次に、図２および図６を参照して、本実施形態によるテレビジョン１のロゴマークの登録処理を説明する。
【００３７】
ロゴマークの登録は、表示部４に番組の映像が表示されている時に行われる。この番組の映像にはロゴマーク５０（図２参照）が含まれているので、そのロゴマーク５０のデータを、番組を供給する放送局の対応するロゴマークのデータとして登録する。具体的には、番組の映像のうち、所定の期間変化しない部分をロゴマークとして登録する。以下、詳細に説明する。
【００３８】
ロゴマークを登録する際には、まず、ステップＳ１１において、ロゴマークの候補がある（ロゴマークの候補のデータがＥＥＰＲＯＭ８に記憶されている）か否かが判断される。ロゴマークの候補がある場合には、ステップＳ１８に進む。また、ロゴマークの候補がない場合には、ステップＳ１２〜ステップＳ１６におけるロゴマークの候補を映像から抽出する処理が行われる。
【００３９】
ロゴマークの候補を映像から抽出する処理としては、まず、ステップＳ１２において、通常選局状態か否かが判断される。すなわち、プリセット処理において、チャンネル番号と放送信号の周波数とがセットして登録されているプリセット済みのチャンネルが選択されているか否かが判断される。プリセット済みでないチャンネルが選択されている（通常選局状態でない）場合には、そのチャンネルに対応する番組がないので、ロゴマークの登録処理が終了される。
【００４０】
また、プリセット済みのチャンネルが選択されている（通常選局状態である）場合には、表示部４に選択された番組の映像が表示される。この場合、ステップＳ１３において、図２に示すように、映像の右下の領域６０の検索が行われる。すなわち、番組の映像に組み込まれるロゴマーク５０は、通常映像の右下または左下に表示されるので、まず、右下の領域６０が検索される。そして、ステップＳ１４において、検索した右下の領域６０の映像の中で、一定期間（本実施形態では、約２０秒）変化しない映像データがあるか否かが判断される。右下の領域６０に一定期間変化しない映像データがある場合には、ステップＳ１７に進む。また、右下の領域６０に一定期間変化しない映像データがない場合には、ステップＳ１５において、上記と同様に、左下の領域７０が検索されるとともに、ステップＳ１６において、検索した左下の領域７０の映像の中で、一定期間変化しない映像データがあるか否かが判断される。左下の領域７０に一定期間変化しない映像データがある場合には、ステップＳ１７に進む。また、左下の領域７０に一定期間変化しない映像データがない場合には、ステップＳ１２〜ステップＳ１７の処理が繰り返される。
【００４１】
また、ステップＳ１４またはステップＳ１６において、一定期間変化しない映像データがあった場合には、ステップＳ１７において、見つかった画像をロゴマークの候補のデータとしてＥＥＰＲＯＭ８に保存する。また、見つかった画像の場所（領域６０または領域７０）もＥＥＰＲＯＭ８に合わせて保存される。図２では、ロゴマーク５０が領域７０に配置されている。
【００４２】
この後、ステップＳ１８〜ステップＳ２３において、上記ステップＳ１１〜ステップＳ１７において見つかったロゴマークの候補を、ロゴマークとして登録するか否かを判断する判定処理が行われる。
【００４３】
判定処理としては、まず、ステップＳ１８において、所定時間（本実施形態では、約１分）が経過したか否かが判断される。所定時間が経過していない場合には、所定時間が経過するまでこの判断が繰り返される。また、所定時間が経過した場合には、ステップＳ１９において、現在の映像データのうち、ロゴマークの候補を抽出した場所（領域６０または領域７０）の映像データと、ロゴマークの候補のデータとが比較されるとともに、ステップＳ２０において、それらが一致するか否かが判断される。
【００４４】
現在の映像データのうち、ロゴマークの候補を抽出した場所の映像データと、ロゴマークの候補のデータとが一致しない場合には、保存されているロゴマークの候補が時間とともに変化する番組の映像の一部であると判断されて、ステップＳ２１において、ＥＥＰＲＯＭ８に保存されていたロゴマークの候補のデータが消去される。この後、ロゴマークの登録処理が最初から開始される。
【００４５】
また、現在の映像データのうち、ロゴマークの候補を抽出した場所の映像データと、ロゴマークの候補のデータとが一致した場合には、ステップＳ２２において、一致回数がインクリメントされるとともに、ステップＳ２３において、一致回数が予め設定された所定のしきい値（本実施形態では、９回）以下であるか否かが判断される。一致回数がしきい値以下である場合には、一致回数がしきい値より大きくなるまで上記したステップＳ１８〜ステップＳ２３の処理が繰り返される。また、一致回数がしきい値よりも大きい場合には、ステップＳ２４において、ロゴマークの候補が番組の映像に組み込まれたロゴマークであると判断されて、ロゴマークの候補がロゴマークとして登録される。
【００４６】
また、一致回数がしきい値よりも大きくなる前にチャンネルが切り換えられた場合には、ロゴマークの候補およびその時点での一致回数が保存されるとともに、再度同じチャンネルが選択された際に、ロゴマークの登録処理が開始される。この場合、ステップＳ１１の判断において、ロゴマークの候補があるので、ステップＳ１８に進む。また、ステップＳ１８〜ステップＳ２４の判定処理においては、ステップＳ２２の一致回数のインクリメントが、上記保存されている一致回数をインクリメントすることにより行われる。
【００４７】
本実施形態では、このようにしてロゴマークの登録が行われる。
【００４８】
本実施形態では、上記のように、チャンネルの指定を受け付けてからチャンネルの番組の映像の表示を開始するまでの間、ＥＥＰＲＯＭ８に記憶されたロゴマークを表示部４に表示することによって、選択したチャンネルの番組の映像を供給する放送局を、映像が表示される前に表示されるロゴマークによりユーザが認識することができる。これにより、ユーザは、選択したチャンネルの番組の映像の表示を待つことなく、選択したチャンネルの放送局を認識して他のチャンネルに切り換えることができる。
【００４９】
また、本実施形態では、上記のように、番組の映像のうち、所定の期間変化しない部分をロゴマークとして認識することによって、不正コピーの抑制のために番組の映像に放送局に対応するロゴマークが表示される放送形態において、放送局に対応するロゴマークを容易に自動的に抽出することができる。すなわち、放送局からの番組の映像には、放送局に対応するロゴマークが左下または右下の領域に固定的に配置されているので、所定の期間変化しない部分を抽出することにより、抽出した部分を放送局に対応するロゴマークとすることができる。
【００５０】
また、本実施形態では、上記のように、番組の映像のうち、約２０秒間変化しない部分をロゴマークの候補として抽出するとともに、ロゴマークの候補と番組の映像とを約１分毎に比較することにより、ロゴマークの候補と番組の映像とが１０回以上一致した場合に、ロゴマークの候補をロゴマークとして認識するように構成されている。このように構成すれば、選択したチャンネルの映像のうち、時間とともに変化する番組の内容の部分をロゴマークとして誤って認識することなく、確実にロゴマークを抽出することができる。
【００５１】
また、本実施形態では、上記のように、番組の映像のうち、右下の領域６０または左下の領域７０を検索することにより、ロゴマークの候補を抽出することによって、ロゴマークが配置される領域は、番組の映像において決まった位置に配置されているので、その部分（所定の領域）のみを検索することにより、ロゴマークの候補を抽出することができる。これにより、番組の映像全体を検索する場合と比較して、ロゴマークを容易に抽出することができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記実施形態では、ロゴマークの候補と現在の映像とを所定時間（１分）毎に比較するとともに、一致回数がしきい値（９回）よりも大きくなった場合（一致回数が１０回になった場合）にロゴマークの候補をロゴマークとして登録する例を示したが、本発明はこれに限らず、所定時間およびしきい値は他の値に設定してもよい。
【００５４】
また、上記実施形態では、ロゴマーク５１をロゴマーク５０と同じ大きさで、かつ、同じ位置に表示した例を示したが、本発明はこれに限らず、大きさおよび位置を変えて表示してもよい。
【００５５】
また、上記実施形態では、番組の映像からロゴマークを抽出して記憶した例を示したが、本発明はこれに限らず、予め各放送局に対応するロゴマークをＲＯＭなどに記憶させておいてもよい。
【００５６】
また、上記実施形態では、ロゴマークの候補と番組の映像とが一致しない場合には、ロゴマークの候補のデータを消去するように構成した例を示したが、本発明はこれに限らず、ロゴマークの候補と番組の映像との不一致回数をカウントするとともに、不一致回数が所定のしきい値以上になった場合に、ロゴマークの候補のデータを消去するように構成してもよい。たとえば、番組にＣＭが挿入された場合には、ＣＭにはロゴマークは表示されないと考えられるため、ＣＭ中にロゴマークの候補と番組の映像とを比較した場合には、これらは一致しないと考えられる。この場合、ロゴマークの候補を正しく抽出していたとしても、ロゴマークの候補が消去される。上記のように構成することによって、番組にＣＭが挿入された場合にも、不一致回数が所定のしきい値より小さい場合には、ロゴマークの候補が消去されないので、ロゴマークを抽出することができる。
【００５７】
また、上記実施形態では、表示部４がＬＣＤからなる例を示したが、本発明はこれに限らず、ＰＤＰ（Ｐｌａｓｍａ  Ｄｉｓｐｌａｙ  Ｐａｎａｌ）またはＣＲＴ（ｃａｔｈｏｄｅ  ｒａｙ  ｔｕｂｅ）などから構成してもよい。
【図面の簡単な説明】
【００５８】
【図１】本発明の一実施形態によるテレビジョンの構成を示すブロック図である。
【図２】図１に示したテレビジョンの表示部にユーザが選択したチャンネルの映像が表示されている状態を示す図である。
【図３】ユーザによりチャンネルが選択された後、テレビジョンの表示部にユーザが選択したチャンネルの映像が表示される前の待機状態を示す図である。
【図４】図１に示したテレビジョンの表示動作を説明するためのフローチャートである。
【図５】図１に示したテレビジョンのロゴマークの登録処理を説明するためのフローチャートである。
【符号の説明】
【００５９】
１  テレビジョン（表示装置）
２  チューナーユニット（受信部）
４  表示部
６  制御部
８  ＥＥＰＲＯＭ（記憶部）
５０  ロゴマーク
５１  ロゴマーク
６０、７０  所定の領域
【図１】
2008294885.tif 000003
【図２】
2008294885.tif 000004
【図３】
2008294885.tif 000005
【図４】
2008294885.tif 000006
【図５】
2008294885.tif 000007